(57)【要約】【課題】  吹出風量に関わりなく室内からの誘引空気を確実に温度センサ近傍に誘導して室内温度を適切に把握できる吹出口装置を提供する。【解決手段】  吹出口本体２内部で気流の向きを偏向させ、吹出口本体２と気流案内手段３との間の開口について気流の吹出す部分と吹出さない部分をそれぞれ設定して吹出される気流の速度を高めつつ、吹出気流を最小吹出量とされた状態で気流速度が最大となる開口位置に近い気流案内手段３下側に温度センサ４を配設し、温度センサ４周囲部分に吹出量に関わりなく常に十分な誘引を生じさせて、誘引された空気調和対象空間内の気体を温度センサ４周囲に到達させられることから、常に温度センサ４と誘引された空気調和対象空間内気体との接触を確保して空気調和対象空間の温度が正確に検知可能となり、吹出口本体２上流側で空気調和対象空間の空気調和状況に応じた適切な風量制御が行える。【選択図】  図１
2006052897.tif 000002
【特許請求の範囲】
【請求項１】
空気調和用の気体を供給され、当該空気調和用気体を空気調和の対象となる空間側へ向わせる開口部分を有する吹出口本体と、当該吹出口本体の開口部分略中央に配設されて前記空気調和用気体を所定の吹出方向に案内する気流案内手段と、当該気流案内手段に取付けられる温度センサとを備え、前記温度センサで検知された気流案内手段近傍の温度に基づいて前記吹出口本体の上流側で空気調和用気体の吹出口本体内への供給量を調整され、空気調和対象空間へ吹出す空気調和用気体の吹出量を変化させる吹出口装置において、
前記吹出口本体が、供給される空気調和用気体の気流を偏向させて空気調和対象空間側へ向わせる内部形状とされ、空気調和対象空間側における吹出口本体周縁と前記気流案内手段との間で気流案内手段の周方向に連続する略環状の開口部分で気流の吹出す部分と気流の吹出さない部分とを生じさせ、
前記温度センサが、前記気流案内手段の下部で、前記開口部分の気流の吹出す部分のうち前記吹出口本体上流側での気体供給量調整に伴って最小吹出量となった際における気流吹出速度が最も速くなる箇所の近傍となり、且つ直接吹出気流が到達できない所定位置に配設され、
前記気流案内手段が、前記温度センサ周囲への下方からの誘引気体の到達は許容しつつ温度センサより下側に位置する底面部を備えることを
特徴とする吹出口装置。
【請求項２】
前記請求項１に記載の吹出口装置において、
前記吹出口本体が、前記空気調和用気体を供給される中空略箱状体のチャンバ部、及び当該チャンバ部における前記空気調和対象空間側の開口端に一体に取付けられる拡開形状の外コーン部を有してなり、
前記チャンバ部が、略矩形断面形状の開口領域を有する形状とされると共に、供給された空気調和用気体を開口の長手方向両端部に向わせ、且つ開口の長手方向中間部分への到達を阻止する一又は複数の略板状の偏向用羽根体を内部に配設されてなり、
前記気流案内手段が、前記チャンバ部の略矩形断面形状の開口形状に対応し且つ前記外コーン部と所定間隔をなす矩形状とされてなり、
前記温度センサが、前記気流案内手段の長手方向一端部の下部に配設されることを
特徴とする吹出口装置。
【請求項３】
前記請求項２に記載の吹出口装置において、
前記偏向用羽根体が、チャンバ部内側の長手方向両端部からそれぞれ開口領域中央下方側に向け傾斜した配置で一対配設されると共に、少なくとも当該配設位置より下側となる開口領域中央から開口領域の長手方向各端部下方側へ向けそれぞれ傾斜した山型配置で別途配設され、さらに前記気流案内手段の直上に垂直向きで且つ開口領域中央を挟む所定間隔で平行に対向させてもう一対配設されることを
特徴とする吹出口装置。
【請求項４】
前記請求項１ないし３のいずれかに記載の吹出口装置において、
前記気流案内手段が、上側全面に略シート状の断熱材を配設されてなることを
特徴とする吹出口装置。
【発明の詳細な説明】
【技術分野】
【０００１】
本発明は、空気調和対象空間に面して配置される吹出口装置に関し、特に、併設された温度センサで室内空気の温度検知も行う吹出口装置に関する。
【背景技術】
【０００２】
空気調和設備において、ダクトを通じて送られる調和空気を空気調和対象空間としての室内空間に吹出す吹出口装置は、天井面に吹出口部分を位置させるように配設されるものが一般的に使用されている。こうした吹出口装置を用いて室内空間の空気調和状態を調節する場合、室内空間に配設した温度センサで室内空気の温度を検知し、得られた温度を基に室内への吹出量の風量制御を吹出口装置上流側の風量調整部で行って、室内空間の空気調和状態を調節するシステムとすることが多かった。このようなシステムの一例として、特開２００１−３１７８００号公報に記載されるものが挙げられる。
【０００３】
ただし、温度センサを室内に設けると美観の点で問題があるため、温度センサを人目に付かない箇所に設ける試みが種々行われてきた。そのような中、吹出口装置から調和空気が吹出されると、吹出気流により誘引された室内空気が天井の吹出口付近に達し、吹出気流と混合することを利用して、誘引されてきた室内空気温度を吹出口内又はその近傍に配置した温度センサで検知し、得られた温度を室内空間の温度として取扱うシステムが近年提案されている。このようなシステムで用いられる温度センサ付きの吹出口装置の一例を図４に示す。図４は従来の吹出口装置の概略構成断面図である。
【０００４】
前記図４において従来の吹出口装置１００は、天井５０上側の天井裏空間でダクト（図示を省略）と接続されて調和空気を供給される略箱状のチャンバ部１０１ａ及びこのチャンバ部１０１ａ端部に連結される拡開状の外コーン部１０１ｂを有してなる矩形開口断面の吹出口本体１０１と、この吹出口本体１０１の開口領域内に配設される吹出気流案内用の中パン１０２と、この中パン１０２に取付けられる温度センサ１０３とを備える構成である。
【０００５】
前記中パン１０２は、上側パン体１０２ａと下側パン体１０２ｂの２枚重ね構造として形成される構成であり、吹出気流によりこの上側パン体１０２ａと下側パン体１０２ｂとの間に強い誘引力を発生させ、下側パン体１０２ｂ内に室内からの空気を効率よく導入可能となる仕組みである。この下側パン体１０２ｂ内に導入した室内空気の温度を、内部に配設した温度センサ１０３で検出する仕組みである。
【特許文献１】特開２００１−３１７８００号公報
【発明の開示】
【発明が解決しようとする課題】
【０００６】
従来の温度センサ付吹出口装置は以上のように構成されており、吹出風量が十分に多い場合には、吹出気流に伴う上下パン体間への室内空気の誘引が十分であり、室内空間の温度を温度センサ１０３でほぼ正確に測定して風量制御を行えるが、吹出風量が少ない場合、吹出気流による誘引力の低下で室内空気の誘引量が減少してしまうため、中パン１０２内の温度センサ１０３周囲では吹出された調和空気と室内からの誘引空気が混合した状態となる。この混合した空気の温度を温度センサ１０３で測定することから、正確な室内温度を検知できず、上流側での風量制御を適切に行えなくなるという課題を有していた。
【０００７】
本発明は前記課題を解消するためになされたもので、吹出風量に関わりなく室内からの誘引空気を確実に温度センサ近傍に誘導して室内温度を適切に把握できる吹出口装置を提供することを目的とする。
【課題を解決するための手段】
【０００８】
本発明に係る吹出口装置は、空気調和用の気体を供給され、当該空気調和用気体を空気調和の対象となる空間側へ向わせる開口部分を有する吹出口本体と、当該吹出口本体の開口部分略中央に配設されて前記空気調和用気体を所定の吹出方向に案内する気流案内手段と、当該気流案内手段に取付けられる温度センサとを備え、前記温度センサで検知された気流案内手段近傍の温度に基づいて前記吹出口本体の上流側で空気調和用気体の吹出口本体内への供給量を調整され、空気調和対象空間へ吹出す空気調和用気体の吹出量を変化させる吹出口装置において、前記吹出口本体が、供給される空気調和用気体の気流を偏向させて空気調和対象空間側へ向わせる内部形状とされ、空気調和対象空間側における吹出口本体周縁と前記気流案内手段との間で気流案内手段の周方向に連続する略環状の開口部分で気流の吹出す部分と気流の吹出さない部分とを生じさせ、前記温度センサが、前記気流案内手段の下部で、前記開口部分の気流の吹出す部分のうち前記吹出口本体上流側での気体供給量調整に伴って最小吹出量となった際における気流吹出速度が最も速くなる箇所の近傍となり、且つ直接吹出気流が到達できない所定位置に配設され、前記気流案内手段が、前記温度センサ周囲への下方からの誘引気体の到達は許容しつつ温度センサより下側に位置する底面部を備えるものである。
【０００９】
このように本発明においては、吹出口本体内部で気流の向きを偏向させ、吹出口本体と気流案内手段との間の開口について気流の吹出す部分と吹出さない部分をそれぞれ設定して吹出される気流の速度を高めつつ、吹出気流を最小吹出量とされた状態で気流速度が最大となる開口位置に近い気流案内手段下部に温度センサを配設し、温度センサ周囲部分に吹出量に関わりなく常に十分な誘引を生じさせて、誘引された空気調和対象空間内の気体を吹出された空気調和用気体と混合させずに温度センサ周囲に到達させられることにより、常に温度センサと誘引された空気調和対象空間内気体との接触を確保して空気調和対象空間の温度が正確に検知可能となり、吹出口本体上流側で空気調和対象空間の空気調和状況に応じた適切な風量制御が行え、空気調和能力を十分に発揮可能となる。また、温度センサより下側に気流案内手段の底面部が存在して空気調和対象空間側から温度センサが見えにくい状態とされており、温度センサ周囲に空気調和対象空間の気体を到達させて確実な温度検知を可能としながら温度センサが目立たず、美観を損ねない。
【００１０】
また、本発明に係る吹出口装置は必要に応じて、前記吹出口本体が、前記空気調和用気体を供給される中空略箱状体のチャンバ部、及び当該チャンバ部における前記空気調和対象空間側の開口端に一体に取付けられる拡開形状の外コーン部を有してなり、前記チャンバ部が、略矩形断面形状の開口領域を有する形状とされると共に、供給された空気調和用気体を開口の長手方向両端部に向わせ、且つ開口の長手方向中間部分への到達を阻止する一又は複数の略板状の偏向用羽根体を内部に配設されてなり、前記気流案内手段が、前記チャンバ部の略矩形断面形状の開口形状に対応し且つ前記外コーン部と所定間隔をなす矩形状とされてなり、前記温度センサが、前記気流案内手段の長手方向一端部の下部に配設されるものである。
【００１１】
このように本発明においては、吹出口本体のチャンバ部内に偏向用羽根体を配設し、偏向用羽根体でチャンバ部内の気流の流れ方向を制限し、矩形状の開口の長手方向両端部から吹出気流の出口速度を速くして吹出させると共に、開口形状に対応する形状とした気流案内手段の長手方向端部下部に温度センサを配設し、この吹出気流の誘引力を確実に享受できる位置で温度センサを用いた温度検知を行うことにより、吹出気流が小風量でも誘引気体を確実に温度センサ周囲に存在させることができ、温度センサで空気調和対象空間の温度を正確に検知して空気調和対象空間の空気調和制御を適切に実行できる。
【００１２】
また、本発明に係る吹出口装置は必要に応じて、前記偏向用羽根体が、チャンバ部内側の長手方向両端部からそれぞれ開口領域中央下方側に向け傾斜した配置で一対配設されると共に、少なくとも当該配設位置より下側となる開口領域中央から開口領域の長手方向各端部下方側へ向けそれぞれ傾斜した山型配置で別途配設され、さらに前記気流案内手段の直上に垂直向きで且つ開口領域中央を挟む所定間隔で平行に対向させてもう一対配設されるものである。
【００１３】
このように本発明においては、チャンバ部内側の偏向用羽根体をチャンバ部内でいったん気流を中央に向けるように配設する一方、その下側では気流を長手方向端部に向け且つ開口中央側への進入を防ぐように配設し、気流の不要な向きへの吹出しを防いでそのまま開口の長手方向端部からのみ吹出させることにより、空気調和用気体の気流を空気調和対象空間へ吹出す中で吹出口側への空気調和対象空間内気体の誘引を確実に生じさせて温度センサで誘引気体のみの温度を検知でき、正確な空気調和対象空間温度の把握でより適切な供給風量制御が行えることとなる。
【００１４】
また、本発明に係る吹出口装置は必要に応じて、前記気流案内手段が、上側全面に略シート状の断熱材を配設されてなるものである。
このように本発明においては、気流案内手段上側に断熱材が配設され、気流と気流案内手段との間の熱伝達を防止することにより、気流案内手段の温度を空気調和対象空間内の温度とほぼ一致させて温度センサへの影響を防止し、温度センサの誤検知の危険がより一層小さくなると共に、吸音性を合せ持つ断熱層により気流案内手段上側に気流が当っても風切り音が発生しにくく、且つ上流から伝播する音を気流案内手段上で吸収でき、空気調和対象空間側へ漏れる騒音を大幅に減少させられる。
【発明を実施するための最良の形態】
【００１５】
以下、本発明の一実施の形態に係る吹出口装置を図１ないし図３に基づいて説明する。図１は本実施の形態に係る吹出口装置の概略構成断面図、図２は本実施の形態に係る吹出口装置の底面図、図３は本実施の形態に係る吹出口装置の縦断面図及び要部拡大断面図である。
【００１６】
前記各図において本実施の形態に係る吹出口装置１は、天井５０内でダクト５１と接続され、空気調和対象の室内空間側に開口を向けて配設される吹出口本体２と、この吹出口本体２の開口領域内に配設される前記気流案内手段としての中パン３と、中パン３の室内空間寄りとなる下部所定位置に検知部を位置させて配設される温度センサ４とを備える構成である。
【００１７】
前記吹出口本体２は、略矩形断面形状の開口領域を囲む略箱状体のチャンバ部２ａと、このチャンバ部２ａの空気調和対象となる室内空間側へ向く開口端部に一体に取付けられ、室内側に向けて拡開状となる外コーン部２ｂとを備える構成であり、天井５０内でチャンバ部２ａをダクト５１と接続されて空気調和用気体としての調和空気を供給されると共に、外コーン部２ｂで囲まれた開口から調和空気を室内空間へ吹出す仕組みとなっている。この吹出口本体２のダクト５１を介した上流側に、前記温度センサ４で検知された温度に基づいて調和空気の吹出口本体２への供給量を調整して、室内空間へ吹出す調和空気量を変化させる公知の風量制御手段（図示を省略）が配設される。
【００１８】
前記チャンバ部２ａ内には、表面に植毛等の吸音処理を施された略板状体で形成される偏向用羽根体６が、チャンバ部２ａ内側の長手方向両端部からそれぞれ開口領域中央下方側に向け傾斜した配置で一対配設されると共に、これより下側となる開口領域中央から開口領域の長手方向各端部下方側へ向けそれぞれ傾斜した山型配置でもう一対配設され、さらに中パン３の直上に垂直向きで且つ開口領域中央を挟む所定間隔で平行に対向させて一対配設される構成である。これら偏向用羽根体６が、チャンバ部２ａ内部に供給された調和空気の流れを最終的に開口領域の長手方向両端部に向くよう偏向させ、且つそれ以外の部分へ向わせないようにして、外コーン部２ｂと中パン３間の開口において気流の吹出す部分と吹出さない部分をそれぞれ与える仕組みである。気流の吹出す部分が限られる分、開口部分の長手方向両端部から吹出す気流の速度は大きくなっており、吹出口本体２上流側での調和空気供給量調整に伴って最小吹出量となった際においても他の開口部分より速い十分な速度の吹出気流が得られ、室内空気の誘引が確実に行えるようになっている。
【００１９】
前記中パン３は、吹出口本体２の室内側開口面に平行な矩形の板状体周囲に前記外コーン部２ｂ各内側面に対向する四つの傾斜面を拡開状に配置され、さらにその下側中央に矩形の底面部を配置された形状として形成され、下端位置を吹出口本体２の下端より下側に位置させて吹出口本体２の室内側開口の中央に固定配設される構成である。中パン３上面には略シート状の断熱材３ａが配設される。
【００２０】
この中パン３と外コーン部２ｂとの間の開口部分に進入する気流に一切偏りのない場合には、調和空気の気流を中パン３の各傾斜面の傾斜方向へそれぞれ案内することができるが、本実施の形態では気流を偏向用羽根体６で中パン３長手方向両端側へ偏向させているため、気流は中パン３各コーナ部から斜め下方へ吹出す状態となる。
【００２１】
中パン３の底面部は、中パン３の他部分とは別体のカバー３ｂとなっており、吹出口の室内側部分として表面に表れる矩形状の化粧部材とされ、長手方向端部や側部には開口孔を穿設され、温度センサ４を囲みつつこの温度センサ４周囲に空気を流通可能にする構成である。カバー３ｂの温度センサ４が存在していない長手方向端部についても、美観を重視するために対称形状として温度センサ４のある一端側に合わせた外観となっている。
【００２２】
前記温度センサ４は、中パン３の長手方向一端部における前記傾斜面より中央寄りの位置の下部、すなわち、開口部分の気流の吹出す部分のうち偏流により気流吹出速度が最も速くなる箇所である長手方向端部のなるべく近くで、且つ直接吹出気流が到達できない位置に配設される構成である。この温度センサ４自体の温度検出の仕組みは従来同様の公知技術であり、詳細な説明を省略する。
【００２３】
次に、前記構成に基づく吹出口装置における気流吹出状態について説明する。ダクト５１から送られた調和空気は、吹出口本体２に入り、気流はチャンバ部２ａ内で各偏向用羽根体６により偏向され、開口領域の長手方向両端部に流れる。調和空気は外コーン部２ｂと中パン３との間の開口部分のうち、長手方向両端部のみに進入し、そのまま各コーナ部から室内に向けて斜め下方に吹出す（図１参照）。長手方向両端部以外で外コーン部２ｂと中パン３の間に調和空気の気流が流れ込むことはなく、室内に向けて各コーナ部から四方向へ斜め下方に吹出す気流は吹出し位置を限られている分強い気流となっており、室内空気を吹出口近傍に強力に誘引する。
【００２４】
誘引された室内空気は、中パン３の長手方向両端部外側の開口部分から吹出す調和空気の気流に引寄せられて最終的にこの気流と混合するが、その前段階で、カバー３ｂの開口孔から中パン３内側に入り、中パン３に沿って前記気流に向けて進むこととなる。温度センサ４は、中パン３下部でこの室内空気の流れの中に常に位置しており、室内空気の温度を確実に検知できる。仮に吹出口本体２上流側での調和空気供給量調整に伴って最小吹出量となった際においても、中パン３の長手方向両端部外側の開口部分では十分な速度の吹出気流が存在しているため、誘引されて中パン３に沿って進む室内空気の流れが止ることはなく、温度センサ４による室内空気の温度検知は吹出量に関わりなく確実に行える。
【００２５】
誘引された室内空気は中パン３内面とも接触するが、中パン３上側に断熱材３ａが配設されていることで、中パン３は室内空気温度とほぼ等しい温度状態を維持し、中パン３表面で結露等が生じることはない。また、中パン３が室内空気に近い温度に維持されることで、温度センサ４への熱放射等による影響もない。
【００２６】
温度センサ４で室内空気の温度を確実に検知可能としていることで、吹出口本体２上流側で室内空間の空気調和状況に応じた適切な風量制御が行え、室内空間を最適な条件に維持できる。また、温度センサ４は中パン３の底面部をなすカバー３ｂで室内からは見えにくい状態となっており、室内側で温度センサの存在を意識することはほとんどなく、美観を損ねない。
【００２７】
このように、本実施の形態に係る吹出口装置では、吹出口本体２内部で気流の向きを偏向させ、吹出口本体２と中パン３との間の開口について気流の吹出す部分と吹出さない部分をそれぞれ設定して吹出される気流の速度を高めつつ、吹出気流を最小吹出量とされた状態で気流速度が最大となる開口位置に近い中パン３端部下側に温度センサ４を配設し、温度センサ４周囲部分に吹出量に関わりなく常に十分な誘引を生じさせて、誘引された室内空気を吹出された調和空気と混合させずに温度センサ４周囲に到達させられることから、常に温度センサ４と誘引された室内空気との接触を確保して室内空間の温度が正確に検知可能となり、吹出口本体２上流側で室内空間の空気調和状況に応じた適切な調和空気供給量制御が行え、空気調和能力を十分に発揮可能となる。
【００２８】
また、前記実施の形態に係る吹出口装置において、温度センサ４はちょうど真下からであればカバー３ｂの開口孔を介して室内側から見ることができる構成としているが、これに限らず、カバー３ｂの開口孔部分を格子状やスリット状に形成し、温度センサ４の直下からも温度センサ４を見にくくする構成や、カバー３ｂにおける温度センサ４のちょうど真下にあたる部位を目隠し部分として開口孔を配設しない構成とすることもでき、室内側で温度センサ４の存在を意識させず、美観をより一層向上させられる。
【図面の簡単な説明】
【００２９】
【図１】本発明の一実施の形態に係る吹出口装置の概略構成断面図である。
【図２】本発明の一実施の形態に係る吹出口装置の底面図である。
【図３】本発明の一実施の形態に係る吹出口装置の縦断面図及び要部拡大断面図である。
【図４】従来の吹出口の装置の概略構成断面図である。
【符号の説明】
【００３０】
１、１００              吹出口装置
２、１０１              吹出口本体
２ａ、１０１ａ          チャンバ部
２ｂ、１０１ｂ          外コーン部
３、１０２              中パン
３ａ                    断熱材
３ｂ                    カバー
４、１０３              温度センサ
６                      偏向用羽根体
５０                    天井
５１                    ダクト
１０２ａ                上側パン体
１０２ｂ                下側パン体
【図１】
2006052897.tif 000003
【図２】
2006052897.tif 000004
【図３】
2006052897.tif 000005
【図４】
2006052897.tif 000006